(57)【要約】【課題】センサによる計測結果を収集し、収集した計測結果に基づいて管理対象を管理可能な管理システムにおいて、管理対象の管理のためのより有用な情報を提供することが可能な管理装置、管理システム、管理方法および管理プログラムを提供する。【解決手段】管理装置は、管理対象に関する計測を行なう複数のセンサから計測結果を示すセンサ情報および前記センサの識別情報をそれぞれ取得する取得部と、前記取得部により取得された各前記識別情報を用いて、複数の前記センサを複数のグループに分けるグルーピング処理を行い、前記グルーピング処理の結果を示すグループ情報を保存する処理を行うグループ管理部とを備える。【選択図】図３
2018088265.tif 000002
【特許請求の範囲】
【請求項１】
管理対象に関する計測を行なう複数のセンサから計測結果を示すセンサ情報および前記センサの識別情報をそれぞれ取得する取得部と、
前記取得部により取得された各前記識別情報を用いて、複数の前記センサを複数のグループに分けるグルーピング処理を行い、前記グルーピング処理の結果を示すグループ情報を保存する処理を行うグループ管理部とを備える、管理装置。
【請求項２】
前記管理装置は、さらに、
各前記センサの前記識別情報を画面に表示する表示部を備え、
前記グループ管理部は、前記表示部により表示された前記識別情報同士を対応づけるためのユーザの操作を受け付け、前記操作に基づいて前記グルーピング処理を行う、請求項１に記載の管理装置。
【請求項３】
前記管理装置は、さらに、
複数の前記グループのうちの少なくとも一部の前記グループである対象グループについて、前記対象グループごとの前記センサ情報に基づいて、前記管理対象を管理するための管理情報を作成する情報作成部を備える、請求項１または請求項２に記載の管理装置。
【請求項４】
前記管理装置は、さらに、
複数の前記グループのうちの少なくとも一部の前記グループである対象グループについて、前記センサの動作を前記対象グループごとに制御する動作制御部を備える、請求項１から請求項３のいずれか１項に記載の管理装置。
【請求項５】
前記動作制御部は、前記センサによる前記センサ情報の送信周期を前記対象グループごとに制御する、請求項４に記載の管理装置。
【請求項６】
管理対象に関する計測を行い、計測結果を示すセンサ情報および自己の識別情報を送信する複数のセンサと、
複数の前記センサから送信された前記センサ情報および前記識別情報をそれぞれ受信し、受信した各前記識別情報を用いて、複数の前記センサを複数のグループに分けるグルーピング処理を行い、前記グルーピング処理の結果を示すグループ情報を保存する処理を行う管理装置とを備える、管理システム。
【請求項７】
管理装置における管理方法であって、
管理対象に関する計測を行なう複数のセンサから計測結果を示すセンサ情報および前記センサの識別情報をそれぞれ取得するステップと、
取得した各前記識別情報を用いて、複数の前記センサを複数のグループに分けるグルーピング処理を行うステップと、
前記グルーピング処理の結果を示すグループ情報を保存する処理を行うステップとを含む、管理方法。
【請求項８】
管理システムにおける管理方法であって、
複数のセンサが、管理対象に関する計測を行い、計測結果を示すセンサ情報および自己の識別情報を送信するステップと、
管理装置が、複数の前記センサから送信された前記センサ情報および前記識別情報をそれぞれ受信するステップと、
前記管理装置が、受信した各前記識別情報を用いて、複数の前記センサを複数のグループに分けるグルーピング処理を行うステップと、
前記管理装置が、前記グルーピング処理の結果を示すグループ情報を保存する処理を行うステップとを含む、管理方法。
【請求項９】
管理装置において用いられる管理プログラムであって、コンピュータに、
管理対象に関する計測を行なう複数のセンサから計測結果を示すセンサ情報および前記センサの識別情報をそれぞれ取得するステップと、
取得した各前記識別情報を用いて、複数の前記センサを複数のグループに分けるグルーピング処理を行うステップと、
前記グルーピング処理の結果を示すグループ情報を保存する処理を行うステップとを実行させるための、管理プログラム。
【請求項１０】
管理システムにおいて用いられる管理プログラムであって、コンピュータに、
複数のセンサが、管理対象に関する計測を行い、計測結果を示すセンサ情報および自己の識別情報を送信するステップと、
管理装置が、複数の前記センサから送信された前記センサ情報および前記識別情報をそれぞれ受信するステップと、
前記管理装置が、受信した各前記識別情報を用いて、複数の前記センサを複数のグループに分けるグルーピング処理を行うステップと、
前記管理装置が、前記グルーピング処理の結果を示すグループ情報を保存する処理を行うステップとを実行させるための、管理プログラム。
【発明の詳細な説明】
【技術分野】
【０００１】
本発明は、管理装置、管理システム、管理方法および管理プログラムに関し、特に、管理対象に関する計測結果を示す情報の管理を行う管理装置、管理システム、管理方法および管理プログラムに関する。
【背景技術】
【０００２】
無線端末装置が通信可能なエリアであるセルを形成する無線基地局装置による通信サービスが提供されており、このような通信サービス等を利用したシステムとして、Ｍ２Ｍ（Ｍａｃｈｉｎｅ  ｔｏ  Ｍａｃｈｉｎｅ）システムが知られている。Ｍ２Ｍシステムでは、たとえば、無線機を搭載した機器同士が人間を介在せずに相互に情報をやり取りすることにより、自動的に機器の制御が行われる。
【０００３】
Ｍ２Ｍシステムの一例として、たとえば、特許文献１（特許第４２３７１３４号公報）には、以下のような技術が開示されている。すなわち、無線端末と、当該無線端末との無線通信が可能なゲートウェイノードと、無線端末の位置情報を保持する位置情報記憶装置とを有する移動体通信ネットワークと、上記無線端末からのメッセージ送信先である端末が接続される他のネットワークとがゲートウェイを介して接続されてなるネットワークシステムである。当該ネットワークシステムは、上記無線端末ごとに予め定めた送信先である上記端末のアドレスを保持する端末アドレス保持手段を有する。上記無線端末から上記端末へメッセージを送信する際には、上記ゲートウェイノードは、上記無線端末より無線フレームを受信すると、上記端末アドレス保持手段にアクセスして、無線端末ごとにメッセージの送信先の端末アドレスを特定し、当該特定した送信先の端末宛に上記ゲートウェイを介してメッセージを送信する。上記端末より上記無線端末へメッセージを送信する際には、上記ゲートウェイは、上記位置情報記憶装置にアクセスし、上記無線端末のＩＤから位置情報を取得し、当該取得した位置情報から該当するゲートウェイノードへメッセージを転送する。当該ゲートウェイノードは、上記無線端末へ上記メッセージを転送する。
【先行技術文献】
【特許文献】
【０００４】
【特許文献１】特許第４２３７１３４号公報
【発明の概要】
【発明が解決しようとする課題】
【０００５】
このようなＭ２Ｍシステムの１つの利用形態として、管理対象に関する計測結果を無線伝送することが可能な１または複数の通信子機を設置し、センサによる計測結果を、通信子機を介して基地局において収集し、収集した計測結果に基づいて管理対象を管理する管理システムが考えられる。
【０００６】
このような管理システムにおいて、管理対象の管理のためのより有用な情報を提供する技術が望まれる。
【０００７】
この発明は、上述の課題を解決するためになされたもので、その目的は、センサによる計測結果を収集し、収集した計測結果に基づいて管理対象を管理可能な管理システムにおいて、管理対象の管理のためのより有用な情報を提供することが可能な管理装置、管理システム、管理方法および管理プログラムを提供することである。
【課題を解決するための手段】
【０００８】
（１）上記課題を解決するために、この発明のある局面に係わる管理装置は、管理対象に関する計測を行なう複数のセンサから計測結果を示すセンサ情報および前記センサの識別情報をそれぞれ取得する取得部と、前記取得部により取得された各前記識別情報を用いて、複数の前記センサを複数のグループに分けるグルーピング処理を行い、前記グルーピング処理の結果を示すグループ情報を保存する処理を行うグループ管理部とを備える。
【０００９】
（６）上記課題を解決するために、この発明のある局面に係わる管理システムは、管理対象に関する計測を行い、計測結果を示すセンサ情報および自己の識別情報を送信する複数のセンサと、複数の前記センサから送信された前記センサ情報および前記識別情報をそれぞれ受信し、受信した各前記識別情報を用いて、複数の前記センサを複数のグループに分けるグルーピング処理を行い、前記グルーピング処理の結果を示すグループ情報を保存する処理を行う管理装置とを備える。
【００１０】
（７）上記課題を解決するために、この発明のある局面に係わる管理方法は、管理装置における管理方法であって、管理対象に関する計測を行なう複数のセンサから計測結果を示すセンサ情報および前記センサの識別情報をそれぞれ取得するステップと、取得した各前記識別情報を用いて、複数の前記センサを複数のグループに分けるグルーピング処理を行うステップと、前記グルーピング処理の結果を示すグループ情報を保存する処理を行うステップとを含む。
【００１１】
（８）上記課題を解決するために、この発明の他の局面に係わる管理方法は、管理システムにおける管理方法であって、複数のセンサが、管理対象に関する計測を行い、計測結果を示すセンサ情報および自己の識別情報を送信するステップと、管理装置が、複数の前記センサから送信された前記センサ情報および前記識別情報をそれぞれ受信するステップと、前記管理装置が、受信した各前記識別情報を用いて、複数の前記センサを複数のグループに分けるグルーピング処理を行うステップと、前記管理装置が、前記グルーピング処理の結果を示すグループ情報を保存する処理を行うステップとを含む。
【００１２】
（９）上記課題を解決するために、この発明のある局面に係わる管理プログラムは、管理装置において用いられる管理プログラムであって、コンピュータに、管理対象に関する計測を行なう複数のセンサから計測結果を示すセンサ情報および前記センサの識別情報をそれぞれ取得するステップと、取得した各前記識別情報を用いて、複数の前記センサを複数のグループに分けるグルーピング処理を行うステップと、前記グルーピング処理の結果を示すグループ情報を保存する処理を行うステップとを実行させるためのプログラムである。
【００１３】
（１０）上記課題を解決するために、この発明の他の局面に係わる管理プログラムは、管理システムにおいて用いられる管理プログラムであって、コンピュータに、複数のセンサが、管理対象に関する計測を行い、計測結果を示すセンサ情報および自己の識別情報を送信するステップと、管理装置が、複数の前記センサから送信された前記センサ情報および前記識別情報をそれぞれ受信するステップと、前記管理装置が、受信した各前記識別情報を用いて、複数の前記センサを複数のグループに分けるグルーピング処理を行うステップと、前記管理装置が、前記グルーピング処理の結果を示すグループ情報を保存する処理を行うステップとを実行させるためのプログラムである。
【００１４】
本発明は、このような特徴的な処理部を備える管理装置として実現できるだけでなく、管理装置の一部または全部を実現する半導体集積回路として実現することができる。
【００１５】
また、本発明は、このような特徴的な処理部を備える管理システムとして実現できるだけでなく、管理システムの一部または全部を実現する半導体集積回路として実現することができる。
【発明の効果】
【００１６】
本発明によれば、センサによる計測結果を収集し、収集した計測結果に基づいて管理対象を管理可能な管理システムにおいて、管理対象の管理のためのより有用な情報を提供することができる。
【図面の簡単な説明】
【００１７】
【図１】図１は、本発明の第１の実施の形態に係る管理システムの構成を示す図である。
【図２】図２は、本発明の第１の実施の形態に係る管理システムにおける通信子機の構成を示す図である。
【図３】図３は、本発明の第１の実施の形態に係る管理システムにおける管理装置の構成を示す図である。
【図４】図４は、図３に示す管理装置により行われるグルーピング処理の一例を説明する図である。
【図５】図５は、本発明の第１の実施の形態に係る管理システムによる動作の流れを示すシーケンス図である。
【図６】図６は、本発明の第１の実施の形態に係る管理システムにおける管理装置により作成される管理情報の一例を説明するための図である。
【図７】図７は、本発明の第２の実施の形態に係る管理システムにおける管理装置の構成を示す図である。
【図８】図８は、本発明の第２の実施の形態に係る管理システムによる動作の流れを示すシーケンス図である。
【発明を実施するための形態】
【００１８】
最初に、本発明の実施形態の内容を列記して説明する。
【００１９】
（１）本発明の実施の形態に係る管理装置は、管理対象に関する計測を行なう複数のセンサから計測結果を示すセンサ情報および前記センサの識別情報をそれぞれ取得する取得部と、前記取得部により取得された各前記識別情報を用いて、複数の前記センサを複数のグループに分けるグルーピング処理を行い、前記グルーピング処理の結果を示すグループ情報を保存する処理を行うグループ管理部とを備える。
【００２０】
このように、複数のセンサをグループ分けすることにより、たとえば、グループごとの複数のセンサ情報をまとめて提供したり、グループ間のセンサ情報の比較結果を提供したりするなど、センサ単位の解析などでは提供することのできなかった新たな情報を提供することが可能となる。したがって、センサによる計測結果を収集し、収集した計測結果に基づいて管理対象を管理可能な管理システムにおいて、管理対象の管理のためのより有用な情報を提供することができる。
【００２１】
また、たとえば、センサ情報の通信に用いられるチャネルを分けることにより複数のセンサをグループ分けすることが考えられる。しかしながら、この場合、センサと管理装置との通信を中継する基地局をチャネル数の分だけ設置するなど、多くの装置が必要となる。これに対して、上記のようにセンサの識別情報を用いて複数のセンサをグループ分けすることにより、各センサからのセンサ情報を１つの基地局を経由して管理装置へ伝送しながら各センサをグループ分けすることが可能であり、多くの装置を設ける必要がない。
【００２２】
（２）好ましくは、前記管理装置は、さらに、各前記センサの前記識別情報を画面に表示する表示部を備え、前記グループ管理部は、前記表示部により表示された前記識別情報同士を対応づけるためのユーザの操作を受け付け、前記操作に基づいて前記グルーピング処理を行う。
【００２３】
このような構成により、たとえば、画面に表示された識別情報に対してユーザがマウスまたはタッチパネルなどを用いて操作を行うことで複数のセンサをグループ分けすることが可能である。これにより、簡単な操作でセンサのグループ分けを行い、また、簡単な操作でグループ分けの内容を変更することもできる。
【００２４】
（３）好ましくは、前記管理装置は、さらに、複数の前記グループのうちの少なくとも一部の前記グループである対象グループについて、前記対象グループごとの前記センサ情報に基づいて、前記管理対象を管理するための管理情報を作成する情報作成部を備える。
【００２５】
このような構成により、対象グループごとの管理情報を確認することで、各対象グループの状況を的確に把握したり、複数の対象グループ間の状況を比較したりすることができる。これにより、管理対象をより適切に管理することができる。
【００２６】
（４）好ましくは、前記管理装置は、さらに、複数の前記グループのうちの少なくとも一部の前記グループである対象グループについて、前記センサの動作を前記対象グループごとに制御する動作制御部を備える。
【００２７】
このような構成により、同じ対象グループに属する複数のセンサの動作を一括して制御することができるため、制御の効率化を実現することができる。
【００２８】
（５）より好ましくは、前記動作制御部は、前記センサによる前記センサ情報の送信周期を前記対象グループごとに制御する。
【００２９】
このような構成により、たとえば、ある対象グループに属する複数のセンサからの通信品質が十分でない場合に、当該対象グループに属する各センサからのセンサ情報の送信周期が短くなるように一括して制御するなど、対象グループごとの通信状況などに応じた適切な対応をとることができる。
【００３０】
（６）本発明の実施の形態に係る管理システムは、管理対象に関する計測を行い、計測結果を示すセンサ情報および自己の識別情報を送信する複数のセンサと、複数の前記センサから送信された前記センサ情報および前記識別情報をそれぞれ受信し、受信した各前記識別情報を用いて、複数の前記センサを複数のグループに分けるグルーピング処理を行い、前記グルーピング処理の結果を示すグループ情報を保存する処理を行う管理装置とを備える。
【００３１】
このように、複数のセンサをグループ分けすることにより、たとえば、グループごとの複数のセンサ情報をまとめて提供したり、グループ間のセンサ情報の比較結果を提供したりするなど、センサ単位の解析などでは提供することのできなかった新たな情報を提供することが可能となる。したがって、センサによる計測結果を収集し、収集した計測結果に基づいて管理対象を管理可能な管理システムにおいて、管理対象の管理のためのより有用な情報を提供することができる。
【００３２】
また、たとえば、センサ情報の通信に用いられるチャネルを分けることにより複数のセンサをグループ分けすることが考えられる。しかしながら、この場合、センサと管理装置との通信を中継する基地局をチャネル数の分だけ設置するなど、多くの装置が必要となる。これに対して、上記のようにセンサの識別情報を用いて複数のセンサをグループ分けすることにより、各センサからのセンサ情報を１つの基地局を経由して管理装置へ伝送しながら各センサをグループ分けすることが可能であり、多くの装置を設ける必要がない。
【００３３】
（７）本発明の実施の形態に係る管理方法は、管理装置における管理方法であって、管理対象に関する計測を行なう複数のセンサから計測結果を示すセンサ情報および前記センサの識別情報をそれぞれ取得するステップと、取得した各前記識別情報を用いて、複数の前記センサを複数のグループに分けるグルーピング処理を行うステップと、前記グルーピング処理の結果を示すグループ情報を保存する処理を行うステップとを含む。
【００３４】
このように、複数のセンサをグループ分けすることにより、たとえば、グループごとの複数のセンサ情報をまとめて提供したり、グループ間のセンサ情報の比較結果を提供したりするなど、センサ単位の解析などでは提供することのできなかった新たな情報を提供することが可能となる。したがって、センサによる計測結果を収集し、収集した計測結果に基づいて管理対象を管理可能な管理システムにおいて、管理対象の管理のためのより有用な情報を提供することができる。
【００３５】
また、たとえば、センサ情報の通信に用いられるチャネルを分けることにより複数のセンサをグループ分けすることが考えられる。しかしながら、この場合、センサと管理装置との通信を中継する基地局をチャネル数の分だけ設置するなど、多くの装置が必要となる。これに対して、上記のようにセンサの識別情報を用いて複数のセンサをグループ分けすることにより、各センサからのセンサ情報を１つの基地局を経由して管理装置へ伝送しながら各センサをグループ分けすることが可能であり、多くの装置を設ける必要がない。
【００３６】
（８）本発明の実施の形態に係る管理方法は、管理システムにおける管理方法であって、複数のセンサが、管理対象に関する計測を行い、計測結果を示すセンサ情報および自己の識別情報を送信するステップと、管理装置が、複数の前記センサから送信された前記センサ情報および前記識別情報をそれぞれ受信するステップと、前記管理装置が、受信した各前記識別情報を用いて、複数の前記センサを複数のグループに分けるグルーピング処理を行うステップと、前記管理装置が、前記グルーピング処理の結果を示すグループ情報を保存する処理を行うステップとを含む。
【００３７】
このように、複数のセンサをグループ分けすることにより、たとえば、グループごとの複数のセンサ情報をまとめて提供したり、グループ間のセンサ情報の比較結果を提供したりするなど、センサ単位の解析などでは提供することのできなかった新たな情報を提供することが可能となる。したがって、センサによる計測結果を収集し、収集した計測結果に基づいて管理対象を管理可能な管理システムにおいて、管理対象の管理のためのより有用な情報を提供することができる。
【００３８】
また、たとえば、センサ情報の通信に用いられるチャネルを分けることにより複数のセンサをグループ分けすることが考えられる。しかしながら、この場合、センサと管理装置との通信を中継する基地局をチャネル数の分だけ設置するなど、多くの装置が必要となる。これに対して、上記のようにセンサの識別情報を用いて複数のセンサをグループ分けすることにより、各センサからのセンサ情報を１つの基地局を経由して管理装置へ伝送しながら各センサをグループ分けすることが可能であり、多くの装置を設ける必要がない。
【００３９】
（９）本発明の実施の形態に係る管理プログラムは、管理装置において用いられる管理プログラムであって、コンピュータに、管理対象に関する計測を行なう複数のセンサから計測結果を示すセンサ情報および前記センサの識別情報をそれぞれ取得するステップと、取得した各前記識別情報を用いて、複数の前記センサを複数のグループに分けるグルーピング処理を行うステップと、前記グルーピング処理の結果を示すグループ情報を保存する処理を行うステップとを実行させるためのプログラムである。
【００４０】
このように、複数のセンサをグループ分けすることにより、たとえば、グループごとの複数のセンサ情報をまとめて提供したり、グループ間のセンサ情報の比較結果を提供したりするなど、センサ単位の解析などでは提供することのできなかった新たな情報を提供することが可能となる。したがって、センサによる計測結果を収集し、収集した計測結果に基づいて管理対象を管理可能な管理システムにおいて、管理対象の管理のためのより有用な情報を提供することができる。
【００４１】
また、たとえば、センサ情報の通信に用いられるチャネルを分けることにより複数のセンサをグループ分けすることが考えられる。しかしながら、この場合、センサと管理装置との通信を中継する基地局をチャネル数の分だけ設置するなど、多くの装置が必要となる。これに対して、上記のようにセンサの識別情報を用いて複数のセンサをグループ分けすることにより、各センサからのセンサ情報を１つの基地局を経由して管理装置へ伝送しながら各センサをグループ分けすることが可能であり、多くの装置を設ける必要がない。
【００４２】
（１０）本発明の実施の形態に係る管理プログラムは、管理システムにおいて用いられる管理プログラムであって、コンピュータに、複数のセンサが、管理対象に関する計測を行い、計測結果を示すセンサ情報および自己の識別情報を送信するステップと、管理装置が、複数の前記センサから送信された前記センサ情報および前記識別情報をそれぞれ受信するステップと、前記管理装置が、受信した各前記識別情報を用いて、複数の前記センサを複数のグループに分けるグルーピング処理を行うステップと、前記管理装置が、前記グルーピング処理の結果を示すグループ情報を保存する処理を行うステップとを実行させるためのプログラムである。
【００４３】
このように、複数のセンサをグループ分けすることにより、たとえば、グループごとの複数のセンサ情報をまとめて提供したり、グループ間のセンサ情報の比較結果を提供したりするなど、センサ単位の解析などでは提供することのできなかった新たな情報を提供することが可能となる。したがって、センサによる計測結果を収集し、収集した計測結果に基づいて管理対象を管理可能な管理システムにおいて、管理対象の管理のためのより有用な情報を提供することができる。
【００４４】
また、たとえば、センサ情報の通信に用いられるチャネルを分けることにより複数のセンサをグループ分けすることが考えられる。しかしながら、この場合、センサと管理装置との通信を中継する基地局をチャネル数の分だけ設置するなど、多くの装置が必要となる。これに対して、上記のようにセンサの識別情報を用いて複数のセンサをグループ分けすることにより、各センサからのセンサ情報を１つの基地局を経由して管理装置へ伝送しながら各センサをグループ分けすることが可能であり、多くの装置を設ける必要がない。
【００４５】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４６】
（第１の実施の形態）
［構成および基本動作］
（管理システムの構成）
図１は、本発明の第１の実施の形態に係る管理システムの構成を示す図である。
【００４７】
図１を参照して、管理システム３０１は、基地局１０１と、１または複数の通信子機１０２と、蓄積装置１１１と、管理装置１１２とを備える。
【００４８】
管理システム３０１は、たとえば事業者の工場および事務所に設置される。たとえば、管理システム３０１は、工場における産業材料１６２の温度および湿度などの管理を行なう。この例では、基地局１０１および通信子機１０２は工場に設けられ、蓄積装置１１１および管理装置１１２は事務所に設けられている。
【００４９】
通信子機１０２は、１または複数のセンサを有し、各センサは、管理対象たとえば工場に保管されている産業材料１６２に関する計測を行う。通信子機１０２は、自己の各センサによる計測結果を示すセンサ情報を含む無線信号を基地局１０１へ送信する。より詳細には、通信子機１０２の各センサは、工場におけるコンテナ１６１内に設けられ、コンテナ１６１内における産業材料１６２の温度および湿度などを計測する。
【００５０】
図１では、一例として、工場内に複数のコンテナ１６１が設けられ、通信子機１０２が対応のコンテナ１６１内に設置されている場合を示している。なお、通信子機１０２は、センサ情報を含む無線信号を基地局１０１へ送信する構成に限らず、複数の通信子機１０２の一部または全部がセンサ情報を基地局１０１へ有線伝送する構成であっても良い。
【００５１】
基地局１０１は、各通信子機１０２から無線信号を受信し、受信した無線信号に含まれるセンサ情報などをイーサネット（登録商標）または無線ＬＡＮ（Ｌｏｃａｌ  Ａｒｅａ  Ｎｅｔｗｏｒｋ）などのネットワーク１７１経由で管理装置１１２へ送信する。たとえば、基地局１０１は、センサ情報にタイムスタンプなどの時刻情報、および無線通信品質（ＬＱＩ：Ｌｉｎｋ  Ｑｕｌｉｔｙ  Ｉｎｄｉｃａｔｉｏｎ）などを付加して管理装置１１２へ送信する。ここで、ＬＱＩは、たとえば値が大きいほど良好な品質であることを示す。なお、管理システム３０１には、複数の基地局１０１が設けられていても良い。
【００５２】
管理装置１１２は、たとえばサーバまたはＰＣ（Ｐｅｒｓｏｎａｌ  Ｃｏｍｐｕｔｅｒ）であり、基地局１０１から送信されたセンサ情報を受信し、受信したセンサ情報などを蓄積装置１１１へ送信する。
【００５３】
蓄積装置１１１は、管理装置１１２から受信したセンサ情報などを蓄積する。たとえば、センサ情報は、データベース化されて蓄積装置１１１に蓄積される。なお、蓄積装置１１１は、管理装置１１２の一部であっても良い。
【００５４】
また、管理装置１１２は、蓄積装置１１１に蓄積されたセンサ情報などに基づいて、管理対象である産業材料１６２を管理するための管理情報を作成する。そして、管理装置１１２は、作成した管理情報を、たとえば自己の画面に表示する。
【００５５】
なお、管理情報は、センサ情報に対して何らかの演算などが行われたデータであってもよいし、センサ情報の一部または全部と同じ内容のデータであってもよい。さらに、管理情報には、センサ情報とは異なる種類の情報が含まれていても良い。
【００５６】
（通信子機の構成）
図２は、本発明の第１の実施の形態に係る管理システムにおける通信子機の構成を示す図である。
【００５７】
図２を参照して、通信子機１０２は、アンテナ１１と、無線回路１２と、処理部１３と、センサ１４とを備える。処理部１３はたとえばＣＰＵ（Ｃｅｎｔｒａｌ  Ｐｒｏｃｅｓｓｉｎｇ  Ｕｎｉｔ）によって実現される。また、たとえば、無線回路１２および処理部１３は、１つの半導体集積回路１５に含まれる。
【００５８】
センサ１４は、たとえば、自己の周囲の温度または湿度を計測し、計測した温度または湿度を示すセンサ情報を、たとえばＩ２Ｃバス（登録商標）経由で処理部１３へ出力する。なお、センサ１４は、温度および湿度以外の種類、たとえば、気圧、加速度、角度、角速度、磁力、照度、電圧、電流、二酸化炭素濃度および一酸化炭素ガス濃度のうちのいずれかの種類の計測を行っても良い。また、通信子機１０２に複数のセンサ１４が含まれ、これら複数のセンサ１４が互いに異なる種類の計測を行っても良い。
【００５９】
処理部１３は、センサ１４から受けたセンサ情報を、たとえばＩＥＥＥ８０２．１５．４規格に従うフレームフォーマットのパケットに含めて無線回路１２へ出力する。また、処理部１３は、自己にセンサ情報を出力したセンサ１４のＩＤ（Ｉｄｅｎｔｉｆｉｃａｔｉｏｎ）（以下、「センサＩＤ」と称する）、自己の通信子機１０２の電池電圧などの電池残量情報およびＬＱＩなどのセンサ管理情報を当該パケットに含めて無線回路１２へ出力する。
【００６０】
無線回路１２は、処理部１３から受けたパケットを、たとえばＩＥＥＥ８０２．１５．４規格に従い、無線信号に変換してアンテナ１１から送信する。そして、基地局１０１が、アンテナ１１から送信された無線信号を受信し、受信した無線信号からセンサ情報、センサＩＤおよびセンサ管理情報などを取得する受信処理を行う。そして、基地局１０１が、取得したこれらの情報を管理装置１１２へ送信する。
【００６１】
（管理装置の構成）
図３は、本発明の第１の実施の形態に係る管理システムにおける管理装置の構成を示す図である。
【００６２】
図３を参照して、管理装置１１２は、受信部（取得部）２１と、情報作成部２２と、グループ管理部２３と、表示部２４とを備える。
【００６３】
受信部２１は、基地局１０１から送信されたセンサ情報、センサＩＤおよびセンサ管理情報などを取得する。そして、受信部２１は、取得したこれらの情報を蓄積装置１１１へ送信する。これにより、蓄積装置１１１には、これらの情報が対応づけられて蓄積される。
【００６４】
グループ管理部２３は、蓄積装置１１１に蓄積されている各センサＩＤを用いて、複数のセンサ１４を複数のグループに分けるためのグルーピング処理を行う。具体的には、グループ管理部２３は、蓄積装置１１１に蓄積されている複数のセンサＩＤを取得し、取得したこれらのセンサＩＤを表示部２４に出力する。そして、表示部２４は、グループ管理部２３から受けたこれらのセンサＩＤを画面に表示する。
【００６５】
そして、グループ管理部２３は、表示部２４により表示されたセンサＩＤ同士を対応づけるためのユーザの操作を受け付け、受け付けた操作に基づいて複数のセンサ１４を複数のグループに分ける。
【００６６】
また、グループ管理部２３は、グルーピング処理の結果を示すグループ情報を保存する処理として、当該グループ情報を蓄積装置１１１へ送信する。これにより、蓄積装置１１１にはグループ情報が保存される。
【００６７】
情報作成部２２は、蓄積装置１１１に保存されたグループ情報を参照して、複数のグループのうちの少なくとも一部のグループである対象グループについて、対象グループごとのセンサ１４のセンサ情報に基づいて管理情報を作成する。たとえば、情報作成部２２は、同じ対象グループに属する複数のセンサ１４からの各センサ情報を蓄積装置１１１から取得し、取得した各センサ情報の時間的変化を示すようなグラフを含む管理情報を作成する。
【００６８】
表示部２４は、情報作成部２２から受けた管理情報を画面に表示する。なお、情報作成部２２および表示部２４は、管理装置１１２の外部に設けられても良い。
【００６９】
（グルーピング処理の例）
図４は、図３に示す管理装置により行われるグルーピング処理の一例を説明する図である。
【００７０】
図４を参照して、表示部２４は、たとえば、グループごとに分けられた複数の表示欄を含む画面を表示し、これらの表示欄には、「グループＡ」、「グループＢ」および「グループＣ」などのグループ名がそれぞれ表示され、また、蓄積装置１１１に蓄積されているセンサＩＤである「１００１１ａａ」および「１００１１ｂｂ」などが表示されている。
【００７１】
表示部２４は、たとえば、ＧＵＩ（Ｇｒａｐｈｉｃａｌ  Ｕｓｅｒ  Ｉｎｔｅｒｆａｃｅ）を用いた画面を表示し、各センサＩＤには選択可能なボタンが設けられている。ユーザは、グループごとに、画面上において各ボタンをマウスまたはタッチパネルなどを用いて選択することで、各グループに属するセンサ１４を決定することができる。なお、ユーザは、各グループのグループ名を変更することも可能である。
【００７２】
図４に示す例では、ユーザは、たとえば、「グループＡ」に、センサＩＤ「１００１１ａａ」のセンサ１４と、センサＩＤ「１００１１ｂｂ」のセンサ１４と、センサＩＤ「１００１１ｅｅ」のセンサ１４とが含まれるような選択を行っている。
【００７３】
グループ管理部２３は、ユーザによるこのような操作を受け付けて、たとえば、各グループについて、グループ名と、当該グループに属するセンサ１４のセンサＩＤとを対応づけるグルーピング処理を行う。そして、グループ管理部２３は、グルーピング処理の結果として、グループ名とセンサＩＤとを対応づけたグループ情報を蓄積装置１１１へ送信する。
【００７４】
なお、ユーザは、たとえば、同じエリアに設置された複数のセンサ１４、すなわち本実施の形態では同じコンテナ１６１に設置された複数のセンサ１４が同じグループに属するようにグループ分けする。これにより、ユーザは、情報作成部２２により作成されるグループごとの管理情報を確認することで、コンテナ１６１ごとの環境を把握することができる。また、ユーザは、コンテナ１６１内の温度を調整するなど、各コンテナ１６１に保管されている管理対象を適切に管理したり、管理対象に生じた不具合とコンテナ１６１の環境との相関を把握したりすることができる。
【００７５】
［動作］
次に、本発明の第１の実施の形態に係る管理システムによる動作の流れについて図面を用いて説明する。
【００７６】
管理システム３０１における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００７７】
図５は、本発明の第１の実施の形態に係る管理システムによる動作の流れを示すシーケンス図である。ここでは、管理システム３０１において２つの通信子機１０２Ａ，１０２Ｂおよび１つの基地局１０１が設けられる場合を示している。
【００７８】
図５を参照して、まず、通信子機１０２Ａのセンサ１４は、たとえば所定の計測タイミングにおいて、管理対象に関する計測を行なう（ステップＳ１１）。
【００７９】
次に、通信子機１０２Ａは、センサ１４による計測結果を示すセンサ情報を取得し（ステップＳ１２）、取得したセンサ情報、センサ１４のセンサＩＤおよびセンサ管理情報などを無線信号に含めて基地局１０１へ送信する（ステップＳ１３）。
【００８０】
次に、基地局１０１は、通信子機１０２Ａから送信された無線信号を受信し、受信した無線信号からセンサ情報、センサＩＤおよびセンサ管理情報などを取得する受信処理を行なう（ステップＳ１４）。そして、基地局１０１は、取得したこれらの情報を管理装置１１２へ送信する（ステップＳ１５）。
【００８１】
次に、管理装置１１２は、基地局１０１から受信したセンサ情報、センサＩＤおよびセンサ管理情報などを蓄積装置１１１へ送信する（ステップＳ１６）。そして、蓄積装置１１１は、管理装置１１２から受信したこれらの情報を蓄積する。
【００８２】
次に、通信子機１０２Ｂにおいても同様に、通信子機１０２Ｂのセンサ１４は、たとえば所定の計測タイミングにおいて、管理対象に関する計測を行なう（ステップＳ１７）。
【００８３】
そして、通信子機１０２Ｂは、センサ１４による計測結果を示すセンサ情報を取得し（ステップＳ１８）、取得したセンサ情報、センサ１４のセンサＩＤおよびセンサ管理情報などを無線信号に含めて基地局１０１へ送信する（ステップＳ１９）。
【００８４】
次に、基地局１０１は、通信子機１０２Ｂから送信された無線信号を受信し、受信した無線信号からセンサ情報、センサＩＤおよびセンサ管理情報などを取得する受信処理を行なう（ステップＳ２０）。そして、基地局１０１は、取得したこれらの情報を管理装置１１２へ送信する（ステップＳ２１）。
【００８５】
次に、管理装置１１２は、基地局１０１から受信したセンサ情報、センサＩＤおよびセンサ管理情報などを蓄積装置１１１へ送信する（ステップＳ２２）。そして、蓄積装置１１１は、管理装置１１２から受信したこれらの情報を蓄積する。
【００８６】
次に、管理装置１１２は、蓄積装置１１１に蓄積されている複数のセンサＩＤを取得し（ステップＳ２３）、取得したこれらのセンサＩＤを画面に表示する（ステップＳ２４）。
【００８７】
次に、管理装置１１２は、ユーザによるセンサ１４のグループ分けのための操作を受け付け、受け付けた操作に基づいてグルーピング処理を行う（ステップＳ２５）。そして、管理装置１１２は、グルーピング処理の結果を示すグループ情報を蓄積装置１１１へ送信する（ステップＳ２６）。これにより、グループ情報が蓄積装置１１１に保存される。
【００８８】
次に、管理装置１１２は、蓄積装置１１１に蓄積されているグループ情報を参照して、グループごとのセンサ１４のセンサ情報を取得し（ステップＳ２７）、取得したセンサ情報に基づいてグループごとの管理情報を作成する（ステップＳ２８）。そして、管理装置１１２は、作成したグループごとの管理情報を画面に表示する（ステップＳ２９）。
【００８９】
［管理情報の例］
図６は、本発明の第１の実施の形態に係る管理システムにおける管理装置により作成される管理情報の一例を説明するための図である。
【００９０】
ここでは、センサＩＤ「１００１ａａ」のセンサ１４と、センサＩＤ「１００１ｂｂ」のセンサ１４と、センサＩＤ「１００１ｅｅ」のセンサ１４とが「グループＡ」に属することとする。また、センサＩＤ「１００１ａａ」のセンサ１４は温度を計測し、センサＩＤ「１００１ｂｂ」のセンサ１４は湿度を計測し、センサＩＤ「１００１ｅｅ」のセンサ１４は照度を計測することとする。
【００９１】
この場合、図６を参照して、管理装置１１２は、たとえば、「グループＡ」に含まれる各センサ１４によるセンサ情報の時間的変化を示すグラフを作成する。さらに、管理装置１１２は、たとえば、「グループＡ」に含まれる各センサ１４について、対応する通信子機１０２の電圧の時間的変化を示すグラフ、および、対応する通信子機１０２のＬＱＩの時間的変化を示すグラフを作成する。
【００９２】
そして、管理装置１１２は、作成したこれらのグラフを管理情報として画面に表示する。これにより、ユーザは、画面に表示される管理情報を確認することで、「グループＡ」の状況を１つの画面で総合的に把握することができる。
【００９３】
また、管理装置１１２は、グループ間のセンサ情報の比較結果を管理情報として作成しても良い。たとえば、管理装置１１２は、各グループの所定期間における平均温度を算出し、算出結果を示す表などを作成して画面に表示しても良い。
【００９４】
ところで、管理対象に関する計測結果を無線伝送することが可能な１または複数の通信子機を設置し、センサによる計測結果を、通信子機を介して基地局において収集し、収集した計測結果に基づいて管理対象を管理する管理システムにおいて、管理対象の管理のためのより有用な情報を提供する技術が望まれる。
【００９５】
これに対して、本発明の第１の実施の形態に係る管理装置１１２では、受信部２１が、管理対象に関する計測を行なう複数のセンサ１４から計測結果を示すセンサ情報およびセンサＩＤをそれぞれ受信する。また、グループ管理部２３が、受信部２１により受信された各センサＩＤを用いて、複数のセンサ１４を複数のグループに分けるグルーピング処理を行い、グルーピング処理の結果を示すグループ情報を保存する処理を行う。
【００９６】
このように、複数のセンサ１４をグループ分けすることにより、たとえば、グループごとの複数のセンサ情報をまとめて提供したり、グループ間のセンサ情報の比較結果を提供したりするなど、センサ１４単位の解析などでは提供することのできなかった新たな情報を提供することが可能となる。したがって、センサ１４による計測結果を収集し、収集した計測結果に基づいて管理対象を管理可能な管理システム３０１において、管理対象の管理のためのより有用な情報を提供することができる。
【００９７】
また、たとえば、センサ情報の通信に用いられるチャネルを分けることにより複数のセンサ１４をグループ分けすることが考えられる。しかしながら、この場合、センサ１４と管理装置１１２との通信を中継する基地局１０１をチャネル数の分だけ設置するなど、多くの装置が必要となる。これに対して、上記のようにセンサ１４の識別情報を用いて複数のセンサ１４をグループ分けすることにより、各センサ１４からのセンサ情報を１つの基地局１０１を経由して管理装置１１２へ伝送しながら各センサ１４をグループ分けすることが可能であり、多くの装置を設ける必要がない。
【００９８】
また、本発明の第１の実施の形態に係る管理装置１１２では、表示部２４が、各センサ１４のセンサＩＤを画面に表示する。また、グループ管理部２３が、表示部２４により表示されたセンサＩＤ同士を対応づけるためのユーザの操作を受け付け、当該操作に基づいてグルーピング処理を行う。
【００９９】
このような構成により、たとえば、画面に表示されたセンサＩＤに対してユーザがマウスまたはタッチパネルなどを用いて操作を行うことで複数のセンサ１４をグループ分けすることが可能である。これにより、簡単な操作でセンサ１４のグループ分けを行い、また、簡単な操作でグループ分けの内容を変更することもできる。
【０１００】
また、本発明の第１の実施の形態に係る管理装置１１２では、情報作成部２２が、複数のグループのうちの少なくとも一部のグループである対象グループについて、対象グループごとのセンサ情報に基づいて、管理対象を管理するための管理情報を作成する。
【０１０１】
このような構成により、対象グループごとの管理情報を確認することで、各対象グループの状況を的確に把握したり、複数の対象グループ間の状況を比較したりすることができる。これにより、管理対象をより適切に管理することができる。
【０１０２】
次に、本発明の他の実施の形態について図面を用いて説明する。なお、図中同一または相当部分には同一符号を付してその説明は繰り返さない。
【０１０３】
（第２の実施の形態）
本発明の第２の実施の形態に係る管理システム３０１では、管理装置１１２が、管理システム３０１に含まれるセンサ１４の動作をグループごとに制御する。ここでは、上述した第１の実施の形態と異なる点について主に説明する。
【０１０４】
［構成および基本動作］
図７は、本発明の第２の実施の形態に係る管理システムにおける管理装置の構成を示す図である。
【０１０５】
図７を参照して、第２の実施の形態に係る管理システム３０１における管理装置１１２は、第１の実施の形態に係る管理システム３０１と比べて、さらに、解析部２５と、動作制御部２６とを備える。
【０１０６】
解析部２５は、複数のグループのうちの少なくとも一部のグループである対象グループについて、情報作成部２２により作成された対象グループごとの管理情報を受けて、各管理情報の解析を行い、解析結果を動作制御部２６へ出力する。
【０１０７】
動作制御部２６は、解析部２５から受けた解析結果に基づいて、動作の制御を必要とするセンサ１４の有無を判断する。そして、動作制御部２６は、動作の制御を必要とするセンサ１４が有ると判断した場合、当該センサ１４の動作を制御するための制御情報を基地局１０１へ送信する。
【０１０８】
なお、管理装置１１２は、必ずしも解析部２５を備えていなくても良い。たとえば、画面に表示される管理情報を管理システム３０１の管理者が確認し、当該管理者による管理情報の解析結果を示す情報が動作制御部２６に与えられる構成であっても良い。また、たとえば、当該管理者が動作の制御を必要とするセンサ１４の有無を判断し、当該管理者による判断結果が動作制御部２６に与えられる構成であっても良い。
【０１０９】
［動作］
次に、本発明の第２の実施の形態に係る管理システムによる動作の流れについて図面を用いて説明する。
【０１１０】
図８は、本発明の第２の実施の形態に係る管理システムによる動作の流れを示すシーケンス図である。
【０１１１】
ここでは、管理システム３０１において３つの通信子機１０２Ａ，１０２Ｂ，１０２Ｃおよび１つの基地局１０１が設けられる場合を示している。また、通信子機１０２Ａのセンサ１４および通信子機１０２Ｂのセンサ１４が「グループＡ」に含まれ、通信子機１０２Ｃのセンサ１４が「グループＢ」に含まれることとする。
【０１１２】
図８を参照して、まず、管理装置１１２は、自己が作成した対象グループごとの管理情報の解析を行う。たとえば、管理装置１１２は、管理情報に含まれるセンサ情報またはセンサ管理情報が所定条件を満たすか否かを確認する（ステップＳ３１）。
【０１１３】
次に、管理装置１１２は、解析結果に基づいて、管理システム３０１に含まれるセンサ１４のうち動作の制御を必要とするセンサ１４の有無を判断し、動作の制御を必要とするセンサ１４が有ると判断した場合、当該センサ１４に対する制御内容を決定する（ステップＳ３２）。
【０１１４】
たとえば、「グループＡ」に含まれる各センサ１４に対応する通信子機１０２のＬＱＩがいずれも所定の閾値より低い場合、管理装置１１２は、これらの通信子機１０２が設置されている場所における電波の通信環境に問題があると推測することができる。
【０１１５】
そして、このような場合、管理装置１１２は、「グループＡ」に含まれる各センサ１４の動作を制御する必要があると判断し、たとえば、これらの各センサ１４からのセンサ情報の送信周期を現在の送信周期よりも短くすることを制御内容として決定する。なお、管理装置１１２は、送信周期の具体的な数値を制御内容として決定しても良い。
【０１１６】
次に、管理装置１１２は、蓄積装置１１１に蓄積されているグループ情報を参照して、たとえば「グループＡ」に含まれる各センサ１４のセンサＩＤを取得する（ステップＳ３３）。そして、管理装置１１２は、決定した制御内容を示す制御情報と、「グループＡ」に含まれる各センサ１４のセンサＩＤとを、基地局１０１へ送信する（ステップＳ３４）。
【０１１７】
次に、基地局１０１は、管理装置１２から制御情報およびセンサＩＤを受信すると、これら制御情報およびセンサＩＤを含めた無線信号を、たとえばブロードキャストにより通信子機１０２Ａ、通信子機１０２Ｂおよび通信子機１０２Ｃへ送信する（ステップＳ３５）。
【０１１８】
次に、通信子機１０２Ａは、基地局１０１から受信した無線信号に、自己のセンサ１４のセンサＩＤが含まれているか否かを確認する（ステップＳ３６）。ここでは、上記のとおり、通信子機１０２Ａのセンサ１４が「グループＡ」に含まれているため、基地局１０１から受信した無線信号には、通信子機１０２Ａのセンサ１４のセンサＩＤが含まれている。
【０１１９】
次に、通信子機１０２Ａは、基地局１０１から受信した無線信号に自己のセンサ１４のセンサＩＤが含まれているため、当該無線信号に含まれる制御情報の示す制御内容に従い自己のセンサ１４の動作を制御する。すなわち、通信子機１０２Ａは、たとえば、自己のセンサ１４からのセンサ情報の出力周期を現在の周期よりも短い値に変更する制御を行う（ステップＳ３７）。
【０１２０】
次に、通信子機１０２Ｂは、通信子機１０２Ａと同様に、基地局１０１から受信した無線信号に、自己のセンサ１４のセンサＩＤが含まれているか否かを確認する（ステップＳ３８）。ここでは、上記のとおり、通信子機１０２Ｂのセンサ１４が「グループＡ」に含まれているため、基地局１０１から受信した無線信号には、通信子機１０２Ｂのセンサ１４のセンサＩＤが含まれている。
【０１２１】
次に、通信子機１０２Ｂは、基地局１０１から受信した無線信号に自己のセンサ１４のセンサＩＤが含まれているため、当該無線信号に含まれる制御情報の示す制御内容に従い自己のセンサ１４の動作を制御する。すなわち、通信子機１０２Ｂは、たとえば、自己のセンサ１４からのセンサ情報の出力周期を現在の周期よりも短い値に変更する制御を行う（ステップＳ３９）。
【０１２２】
次に、通信子機１０２Ｃは、通信子機１０２Ａ，１０２Ｂと同様に、基地局１０１から受信した無線信号に、自己のセンサ１４のセンサＩＤが含まれているか否かを確認する（ステップＳ４０）。ここでは、上記のとおり、通信子機１０２Ｃのセンサ１４が「グループＢ」に含まれているため、基地局１０１から受信した無線信号には、通信子機１０２Ｃのセンサ１４のセンサＩＤが含まれていない。
【０１２３】
次に、通信子機１０２Ｃは、基地局１０１から受信した無線信号に自己のセンサ１４のセンサＩＤが含まれていないため、たとえば、当該無線信号に含まれる制御情報の示す制御内容を確認することなく、当該無線信号に含まれるデータを破棄する（ステップＳ４１）。
【０１２４】
なお、センサ１４からのセンサ情報の送信周期を短くすると、対応する通信子機１０２の電池の寿命が短くなることが考えられるが、上記のように、動作の制御が必要であると判断された対象グループのセンサ１４に対してのみ送信周期を変更させることができるため、管理システム３０１における消費電力の増大を抑制することができる。
【０１２５】
また、上述した例では、１つの対象グループに属するセンサ１４の動作の制御を行う場合について説明したが、動作制御部２６は、複数の対象グループのセンサ１４の動作を一括して制御することも可能である。
【０１２６】
その他の構成および動作は上述した本発明の第１の実施の形態に係る管理システム３０１と同様であるため、ここでは詳細な説明を繰り返さない。
【０１２７】
上述のとおり、本発明の第２の実施の形態に係る管理装置１１２では、動作制御部２６が、複数のグループのうちの少なくとも一部のグループである対象グループについて、センサ１４の動作を対象グループごとに制御する。
【０１２８】
このような構成により、同じ対象グループに属する複数のセンサ１４の動作を一括して制御することができるため、制御の効率化を実現することができる。
【０１２９】
また、本発明の第２の実施の形態に係る管理装置１１２では、動作制御部２６が、センサ１４によるセンサ情報の送信周期を対象グループごとに制御する。
【０１３０】
このような構成により、たとえば、ある対象グループに属する複数のセンサ１４からの通信品質が十分でない場合に、当該対象グループに属する各センサ１４からのセンサ情報の送信周期が短くなるように一括して制御するなど、対象グループごとの通信状況などに応じた適切な対応をとることができる。
【０１３１】
なお、本発明の第１の実施の形態および第２の実施の形態に係る管理システム３０１は、通信子機１０２ごとに管理対象である産業材料１６２が存在する工場に用いられるとしたが、これに限定するものではない。管理システム３０１は、たとえば、１つの管理対象の複数の箇所または複数の測定項目等を複数のセンサ２０２によってそれぞれ計測する用途に用いられてもよい。
【０１３２】
上記第１の実施の形態および第２の実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１３３】
以上の説明は、以下に付記する特徴を含む。
【０１３４】
［付記１］
管理対象に関する計測を行なう複数のセンサから計測結果を示すセンサ情報および前記センサの識別情報をそれぞれ取得する取得部と、
前記取得部により取得された各前記識別情報を用いて、複数の前記センサを複数のグループに分けるグルーピング処理を行い、前記グルーピング処理の結果を示すグループ情報を保存する処理を行うグループ管理部とを備え、
同じエリアに設置された複数の前記センサが同じ前記グループに属するように前記グルーピング処理が行われる、管理装置。
【０１３５】
［付記２］
管理対象に関する計測を行い、計測結果を示すセンサ情報および自己の識別情報を送信する複数のセンサと、
複数の前記センサから送信された前記センサ情報および前記識別情報をそれぞれ受信し、受信した各前記識別情報を用いて、複数の前記センサを複数のグループに分けるグルーピング処理を行い、前記グルーピング処理の結果を示すグループ情報を保存する処理を行う管理装置とを備え、
同じエリアに設置された複数の前記センサが同じ前記グループに属するように前記グルーピング処理が行われる、管理システム。
【符号の説明】
【０１３６】
１１  アンテナ
１２  無線回路
１３  処理部
１４  センサ
１５  半導体集積回路
２１  受信部（取得部）
２２  情報作成部
２３  グループ管理部
２４  表示部
２５  解析部
２６  動作制御部
１０１  基地局
１０２，１０２Ａ，１０２Ｂ，１０２Ｃ  通信子機
１１１  蓄積装置
１１２  管理装置
１６１  コンテナ
１６２  産業材料
３０１  管理システム
【図１】
2018088265.tif 000003
【図２】
2018088265.tif 000004
【図３】
2018088265.tif 000005
【図４】
2018088265.tif 000006
【図５】
2018088265.tif 000007
【図６】
2018088265.tif 000008
【図７】
2018088265.tif 000009
【図８】
2018088265.tif 000010
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
管理対象に関する計測を行なう複数のセンサから計測結果を示すセンサ情報および前記センサの識別情報をそれぞれ取得する取得部と、
前記取得部により取得された各前記識別情報を用いて、複数の前記センサを複数のグループに分けるグルーピング処理を行い、前記グルーピング処理の結果を示すグループ情報を保存する処理を行うグループ管理部とを備え、
前記取得部は、さらに、前記センサ情報を送信する通信機に関するセンサ管理情報を取得し、
さらに、
複数の前記グループのうちの少なくとも一部の前記グループである対象グループについて、前記取得部により取得された前記対象グループの前記センサ管理情報に基づいて、前記センサの動作を前記対象グループごとに制御する動作制御部を備える、管理装置。
【請求項２】
前記管理装置は、さらに、
各前記センサの前記識別情報を画面に表示する表示部を備え、
前記グループ管理部は、前記表示部により表示された前記識別情報同士を対応づけるためのユーザの操作を受け付け、前記操作に基づいて前記グルーピング処理を行う、請求項１に記載の管理装置。
【請求項３】
前記管理装置は、さらに、
複数の前記グループのうちの少なくとも一部の前記グループである対象グループについて、前記対象グループごとの前記センサ情報に基づいて、前記管理対象を管理するための管理情報を作成する情報作成部を備える、請求項１または請求項２に記載の管理装置。
【請求項４】
前記動作制御部は、前記センサによる前記センサ情報の送信周期を前記対象グループごとに制御する、請求項１から請求項３のいずれか１項に記載の管理装置。
【請求項５】
管理対象に関する計測を行い、計測結果を示すセンサ情報および自己の識別情報を送信する複数のセンサと、
複数の前記センサから送信された前記センサ情報および前記識別情報をそれぞれ受信し、受信した各前記識別情報を用いて、複数の前記センサを複数のグループに分けるグルーピング処理を行い、前記グルーピング処理の結果を示すグループ情報を保存する処理を行う管理装置とを備え、
前記管理装置は、前記センサ情報を送信する通信機に関するセンサ管理情報を受信し、複数の前記グループのうちの少なくとも一部の前記グループである対象グループについて、受信した前記対象グループの前記センサ管理情報に基づいて、前記センサの動作を前記対象グループごとに制御する、管理システム。
【請求項６】
管理装置における管理方法であって、
管理対象に関する計測を行なう複数のセンサから計測結果を示すセンサ情報および前記センサの識別情報をそれぞれ取得するステップと、
取得した各前記識別情報を用いて、複数の前記センサを複数のグループに分けるグルーピング処理を行うステップと、
前記グルーピング処理の結果を示すグループ情報を保存する処理を行うステップとを含み、
前記センサ情報を取得するステップにおいては、さらに、前記センサ情報を送信する通信機に関するセンサ管理情報を取得し、
前記管理方法は、さらに、
複数の前記グループのうちの少なくとも一部の前記グループである対象グループについて、取得した前記対象グループの前記センサ管理情報に基づいて、前記センサの動作を前記対象グループごとに制御するステップとを含む、管理方法。